(57)【要約】【課題】  防火防煙スクリーンが昇降路内側に露出せず容易に据付けでき、またかごの昇降に伴う風圧が防火防煙スクリーンに作用しないエレベーター乗場装置を得る。【解決手段】  カバー板１６を乗場ドア装置６の開閉機構９及び防火防煙スクリーン１１の間に設ける。これにより、通常時に防火防煙スクリーン１１が昇降路１内に露出せず、防火防煙スクリーン１１付の三方枠３、乗場ドア装置６を昇降路１に据付ける際に防火防煙スクリーン１１を傷つける恐れがなく、容易に三方枠３等を据付けでき作業能率を向上する。また、かごの昇降による風圧が防火防煙スクリーン１１に作用せず、防火防煙スクリーン１１のばたつきによる騒音発生、ばたつきのために防火防煙スクリーン１１が損傷し防火防煙性能が低下する不具合発生を防止すると共に保守費用を低減する。【選択図】        図１
2006131319.tif 000002
【特許請求の範囲】
【請求項１】
エレベーターの昇降路に設けられた乗場出入口の縁部を形成する三方枠と、この三方枠の上記昇降路側に設けられて上記乗場出入口を開閉し、上記乗場出入口の上縁よりも上方に開閉機構が配置された乗場ドア装置と、上記三方枠の上部を構成する幕板の上縁部に設けられて上記乗場ドア装置の開閉機構よりも上方に配置されたスクリーンケースと、上記スクリーンケースに収容されて常時は下端が上記三方枠における上記昇降路側の上縁を形成する上枠位置に配置され、上記エレベーターの設置建物に関わる火災発生信号を介して下降動作し、上記乗場出入口を閉塞する防火防煙スクリーンと、上記開閉機構及び防火防煙スクリーンの間に設けられて、上端が上記スクリーンケースに装着され下端は上記上枠対応位置に配置されたカバー板とを備えたエレベーター乗場装置。
【請求項２】
カバー板を、上縁部が昇降路内側に屈折されてなる突出部及び上縁部に配置された着脱容易な締結手段を有するものとしたことを特徴とする請求項１記載のエレベーター乗場装置。
【請求項３】
カバー板を、正面に標示された作業中標識及び間口方向の両側にそれぞれ配置されて進退自在に装着され要時に突出して乗場出入口の縁部に係合される取付金具が設けられ、上記取付金具を介して要時に乗場出入口に仮設されるものとしたことを特徴とする請求項１及び請求項２のいずれか一つに記載のエレベーター乗場装置。
【発明の詳細な説明】
【技術分野】
【０００１】
この発明は、火災発生信号によって乗場出入口が防火防煙スクリーンによって遮蔽されるエレベーター乗場装置に関する。
【背景技術】
【０００２】
従来のエレベーター乗場装置においては、エレベーターの昇降路に設けられた乗場出入口の縁部を形成する三方枠が設けられ、また三方枠の昇降路側に設けられて乗場出入口を開閉し、乗場出入口の上縁よりも上方に開閉機構が配置された乗場ドア装置が設けられる。そして、三方枠の上部を構成する幕板の上縁部にスクリーンケースが設けられて乗場ドア装置の開閉機構よりも上方に配置される。また、防火防煙スクリーンがスクリーンケースに収容されて常時は下端が三方枠における昇降路側の上縁を形成する上枠位置に配置され、エレベーターの設置建物に関わる火災発生信号を介して下降動作して、乗場出入口を閉塞するように構成されている。（類似構成として例えば、特許文献１参照）
【０００３】
【特許文献１】特開２００４−４３０６４号公報（段落００１６〜００１８、図１、図２）
【発明の開示】
【発明が解決しようとする課題】
【０００４】
従来のエレベーター乗場装置では、通常時において昇降路内側位置に防火防煙スクリーンが露出状態に配置されるので、防火防煙スクリーンが組み込まれた三方枠、乗場ドア装置を昇降路に据付ける際に防火防煙スクリーンを傷つける恐れがあって、慎重な作業が必要となり三方枠等の据付作業能率が低下するという問題点があった。また、昇降路をかごが昇降することによって防火防煙スクリーンに風圧が作用して防火防煙スクリーンがばたついて騒音が発生したり、またばたつきのために防火防煙スクリーンに傷、破損が生じて防火防煙性能が損なわれるという問題点があった。
【０００５】
この発明は、かかる問題点を解消するためになされたものであり、防火防煙スクリーンが昇降路内側に露出せず容易に据付けることができ、またかごの昇降に伴う風圧が防火防煙スクリーンに作用しないエレベーター乗場装置を得ることを目的とする。
【課題を解決するための手段】
【０００６】
この発明に係るエレベーター乗場装置においては、エレベーターの昇降路に設けられた乗場出入口の縁部を形成する三方枠と、この三方枠の昇降路側に設けられて乗場出入口を開閉し、乗場出入口の上縁よりも上方に開閉機構が配置された乗場ドア装置と、三方枠の上部を構成する幕板の上縁部に設けられて乗場ドア装置の開閉機構よりも上方に配置されたスクリーンケースと、スクリーンケースに収容されて常時は下端が三方枠における昇降路側の上縁を形成する上枠位置に配置され、エレベーターの設置建物に関わる火災発生信号を介して下降動作し、乗場出入口を閉塞する防火防煙スクリーンと、乗場ドア装置の開閉機構及び防火防煙スクリーンの間に設けられて、上端がスクリーンケースに装着され下端は上枠対応位置に配置されたカバー板とが設けられる。
【発明の効果】
【０００７】
この発明によるエレベーター乗場装置は、カバー板が乗場ドア装置の開閉機構及び防火防煙スクリーンの間に設けられて、上端がスクリーンケースに装着され下端は三方枠の上枠対応位置に配置される。これにより、通常時における昇降路内側において防火防煙スクリーンがカバー板によって覆われるので、防火防煙スクリーンが昇降路内に露出状態に配置されることがなく、防火防煙スクリーンが組み込まれた三方枠、乗場ドア装置を昇降路に据付ける際に防火防煙スクリーンを傷つける恐れがない。
【０００８】
したがって、容易に三方枠等を据付けることができて作業能率を向上する効果がある。また、昇降路をかごが昇降することによって防火防煙スクリーンに風圧が作用することがなく、防火防煙スクリーンがばたついて騒音が発生したり、またばたつきのために防火防煙スクリーンに傷、破損が生じて防火防煙性能が損なわれたりする不具合の発生を未然に防止する効果がある。さらに、防火防煙スクリーンのばたつきによる傷、破損が少なく耐用年数が増しエレベーター乗場装置の保守費用を低減する効果がある。
【発明を実施するための最良の形態】
【０００９】
実施の形態１．
図１〜図４は、この発明の実施の形態を示す図で、図１は縦断側面図、図２は図１の右側面図で乗場の戸を全開した状態を示す図、図３は図２におけるカバー板の拡大図、図４は図３の左側面図である。図において、エレベーターの昇降路１に乗場出入口２が設けられて、三方枠３によって乗場出入口２の縁部が形成される。そして、三方枠３には三方枠３の上部を構成する幕板４、昇降路１側の上縁を形成する上枠５が設けられる。
【００１０】
また、三方枠３の昇降路１側に次に述べる乗場出入口２を開閉する乗場ドア装置６が設けられる。すなわち、乗場ドア装置６は乗場の敷居７、乗場の敷居７に下部が案内される乗場の戸８及び乗場出入口２の上縁よりも上方に配置されて乗場の戸８を開閉動作させる開閉機構９が設けられる。そして、三方枠３の幕板４の上縁部にスクリーンケース１０が設けられて乗場ドア装置６の開閉機構９よりも上方に配置される。
【００１１】
さらに、可撓性シート材からなる防火防煙スクリーン１１がスクリーンケース１０に収容されて、常時は下端が三方枠３の上枠５位置に配置される。そして、三方枠３の側枠１２に長手が上下方向に配置された案内溝１３が設けられて防火防煙スクリーン１１の幅方向の縁部が摺動自在に嵌合される。また、スクリーンケース１０と幕板４の下縁部の間に気密性能を有する閉鎖板１４が設けられて防火防煙スクリーン１１よりも反昇降路１側に配置される。
【００１２】
そして、防火防煙スクリーン１１の下端に錘１５が装着されて、エレベーターの設置建物に関わる火災発生信号を介して作動機構（図示しない）が作動し、錘１５の付勢力によって防火防煙スクリーン１１が下降して乗場出入口２を閉塞する。また、カバー板１６が乗場ドア装置６の開閉機構９及び防火防煙スクリーン１１の間に設けられて上端が、取付穴１７に挿通されてスクリーンケース１０にねじ込まれたボルト１８によってスクリーンケース１０に装着され、またカバー板１６の下端は三方枠３の上枠５対応位置に配置される。
【００１３】
上記のように構成されたエレベーター乗場装置において、通常時における昇降路１内側において防火防煙スクリーン１１がカバー板１６によって覆われる。このため、防火防煙スクリーン１１が昇降路１内に露出状態に配置されることがなく、防火防煙スクリーン１１が組み込まれた三方枠３、乗場ドア装置６を昇降路１に据付ける際に防火防煙スクリーン１１を傷つける恐れがない。
【００１４】
したがって、三方枠３等を容易に据付けることができて作業能率を向上することができる。また、昇降路１をかご（図示しない）が昇降することによって防火防煙スクリーン１１に風圧が作用することがなく、防火防煙スクリーン１１がばたついて騒音が発生したり、またばたつきのために防火防煙スクリーン１１に傷、破損が生じて防火防煙性能が損なわれたりする不具合の発生を未然に防止することができる。さらに、防火防煙スクリーン１１のばたつきによる傷、破損が少なく耐用年数が増しエレベーター乗場装置の保守費用を低減することができる。
【００１５】
実施の形態２．
図５及び図６は、この発明の他の実施の形態を示す図で、図５は縦断側面図、図６は図５の右側面図で乗場の戸を全開した状態を示す図である。図において、前述の図１〜図４と同符号は相当部分を示し、幕板４の下縁寄りに乗場表示器１９が設けられ、図１における閉鎖板１４に相当する閉鎖板２０が乗場表示器１９に対応した乗場表示器点検口板２１及び乗場表示器点検口板２１の上方に配置された上部閉鎖板２２によって形成される。
【００１６】
上記のように構成されたエレベーター乗場装置においても、乗場ドア装置６の開閉機構９及び防火防煙スクリーン１１の間にカバー板１６が設けられて、通常時における昇降路１内側において防火防煙スクリーン１１がカバー板１６によって覆われる。したがって、詳細な説明を省略するが図５及び図６の実施の形態においても図１〜図４の実施の形態と同様な作用が得られる。
【００１７】
実施の形態３．
図７及び図８も、この発明の他の実施の形態を示す図で、図７は前述の図３相当図、図８は図７の左側面図である。なお、図７及び図８の他は前述の図１〜図４の実施の形態と同様にエレベーター乗場装置が構成されている。図において、前述の図１〜図４と同符号は相当部分を示し、カバー板２３の上縁部が昇降路１内側に屈折され、この屈折部の先端がさらに下側に屈折されて突出部２４が形成され、またカバー板２３の上縁部に幅方向に互いに離れて複数個のダルマ穴からなる着脱容易な締結手段２５が設けられる。
【００１８】
上記のように構成されたエレベーター乗場装置においても、乗場ドア装置６の開閉機構９及び防火防煙スクリーン１１の間にカバー板２３が設けられて、通常時における昇降路１内側において防火防煙スクリーン１１がカバー板２３によって覆われる。したがって、詳細な説明を省略するが図７及び図８の実施の形態においても図１〜図４の実施の形態と同様な作用が得られる。
【００１９】
また図７及び図８の実施の形態において、カバー板２３が締結手段２５を介してスクリーンケース１０に着脱自在に締結される。また、カバー板２３の上縁部に把手として使用する突出部２４が形成される。このため、カバー板２３をスクリーンケース１０に対して簡易な作業によって容易に着脱することができる。
【００２０】
したがって、前述の図５に示すように幕板４に設けられた乗場表示器１９の保守作業を行う場合に、カバー板２３を外し防火防煙スクリーン１１を上昇して、乗場表示器点検口板２１を外す作業を行うときに、簡易な作業によってカバー板２３を着脱でき着脱作業を容易に行うことができる。したがって、乗場表示器１９の保守作業が容易にできて作業能率が向上し保守費用を低減することができる。
【００２１】
実施の形態４．
図９〜図１２も、この発明の他の実施の形態を示す図で、図９は前述の図７相当図、図１０は図９の左側面図、図１１は図９のカバー板を作業中標識として使用する状態を示すエレベーター乗場の正面図、図１２は図９のカバー板を他の作業中標識として使用する状態を示す図１１相当図である。なお、図９〜図１２の他は前述の図７及び図８の実施の形態と同様にエレベーター乗場装置が構成されている。
【００２２】
図において、前述の図７及び図８と同符号は相当部分を示し、カバー板２３の正面に「エレベーター保守中です」「防火スクリーン保守中です」等からなる作業中標識２６が標示される。また、カバー板２３の間口方向の両側にそれぞれ取付金具２７が配置され、この取付金具２７は一側がボルト２８によってカバー板２３に枢着されて通常時にカバー板２３の間口方向の縁部から図９に示すように後退した位置に配置される。
【００２３】
上記のように構成されたエレベーター乗場装置においても、乗場ドア装置６の開閉機構９及び防火防煙スクリーン１１の間にカバー板２３が設けられて、通常時における昇降路１内側において防火防煙スクリーン１１がカバー板２３によって覆われる。また、カバー板２３に締結手段２５及び突出部２４が設けられる。したがって、詳細な説明を省略するが図９〜図１２の実施の形態においても図７及び図８の実施の形態と同様な作用が得られる。
【００２４】
また図９〜図１２の実施の形態において、エレベーターの保守作業時に取り外されたカバー板２３が乗場出入口２に図１１又は図１２に示すように仮設される。これにより、作業中標識の作用及びエレベーター利用者に対する進入防止柵としての作用を得ることができる。このため、保守作業員が作業中標示板等を持ち込む手数を省くことができて、保守作業能率を向上することができる。
【００２５】
なお、カバー板２３を乗場出入口２に仮設する場合にはボルト２８を緩めて取付金具２７を回動してカバー板２３の間口方向の縁部から突出する。そして、この突出部を図１１に示すように三方枠３の側枠１２に設けた案内溝１３に嵌合させることによってカバー板２３が仮設される。また、取付金具２７を磁石からなるものとして取付金具２７をカバー板２３の間口方向の縁部から突出し、図１２に示すように三方枠３の前面に吸着することによってカバー板２３が仮設される。
【図面の簡単な説明】
【００２６】
【図１】この発明の実施の形態１を示す縦断側面図。
【図２】図１の右側面図で乗場の戸を全開した状態を示す図。
【図３】図２におけるカバー板の拡大図。
【図４】図３の左側面図。
【図５】この発明の実施の形態２を示す縦断側面図。
【図６】図５の右側面図で乗場の戸を全開した状態を示す図。
【図７】この発明の実施の形態３を示す図で、前述の図３相当図。
【図８】図７の左側面図。
【図９】この発明の実施の形態４を示す図で、前述の図７相当図。
【図１０】図９の左側面図。
【図１１】図９のカバー板を作業中標識として使用する状態を示すエレベーター乗場の正面図。
【図１２】図９のカバー板を他の作業中標識として使用する状態を示す図１１相当図。
【符号の説明】
【００２７】
１  昇降路、  ２  乗場出入口、  ３  三方枠、  ４  幕板、  ５  上枠、  ６  乗場ドア装置、  ９  開閉機構、  １０  スクリーンケース、  １１  防火防煙スクリーン、  １６  カバー板、  ２４  突出部、  ２５  締結手段、  ２６  作業中標識、  ２７  取付金具。
【図１】
2006131319.tif 000003
【図２】
2006131319.tif 000004
【図３】
2006131319.tif 000005
【図４】
2006131319.tif 000006
【図５】
2006131319.tif 000007
【図６】
2006131319.tif 000008
【図７】
2006131319.tif 000009
【図８】
2006131319.tif 000010
【図９】
2006131319.tif 000011
【図１０】
2006131319.tif 000012
【図１１】
2006131319.tif 000013
【図１２】
2006131319.tif 000014